(57)【要約】【課題】本発明は、従来にない画期的な廃棄物分別情報の配信システム，情報配信装置及び廃棄物分別情報の配信方法を提供することを目的とする。【解決手段】分別廃棄対象となる物品10に設けられた当該物品10の種類を示す物品情報１を読み取る読み取り機能と位置情報を取得する位置情報取得機能とを備えた携帯端末２が、ネットワークを介して情報配信装置３に接続された廃棄物分別情報の配信システムであって、前記情報配信装置３は、前記携帯端末２に送信する配信情報を生成する配信情報生成手段を備え、前記配信情報生成手段は、前記携帯端末２から送信された前記物品情報１と前記位置情報取得機能で取得された現在の位置情報とにより、当該物品10の当該位置における自治体規則に基づく廃棄物分別情報を前記配信情報として生成するものである。【選択図】図１
2018028749.tif 000002
【特許請求の範囲】
【請求項１】
分別廃棄対象となる物品に設けられた当該物品の種類を示す物品情報を読み取る読み取り機能と位置情報を取得する位置情報取得機能とを備えた携帯端末が、ネットワークを介して情報配信装置に接続された廃棄物分別情報の配信システムであって、前記情報配信装置は、前記携帯端末に送信する配信情報を生成する配信情報生成手段を備え、前記配信情報生成手段は、前記携帯端末から送信された前記物品情報と前記位置情報取得機能で取得された現在の位置情報とにより、当該物品の当該位置における自治体規則に基づく廃棄物分別情報を前記配信情報として生成するものであることを特徴とする廃棄物分別情報の配信システム。
【請求項２】
請求項１記載の廃棄物分別情報の配信システムにおいて、前記物品情報は二次元コードであることを特徴とする廃棄物分別情報の配信システム。
【請求項３】
分別廃棄対象となる物品に設けられた当該物品の種類を示す物品情報を読み取る読み取り機能と位置情報を取得する位置情報取得機能とを備えた携帯端末に、ネットワークを介して接続され、廃棄物分別情報を配信情報として配信する情報配信装置であって、前記携帯端末に送信する配信情報を生成する配信情報生成手段を備え、前記配信情報生成手段は、前記携帯端末から送信された前記物品情報と前記位置情報取得機能で取得された現在の位置情報とにより、当該物品の当該位置における自治体規則に基づく廃棄物分別情報を前記配信情報として生成するものであることを特徴とする情報配信装置。
【請求項４】
請求項３記載の情報配信装置において、前記物品情報は二次元コードであることを特徴とする情報配信装置。
【請求項５】
分別廃棄対象となる物品に設けられた当該物品の種類を示す物品情報を読み取る読み取り機能と位置情報を取得する位置情報取得機能とを備えた携帯端末が、ネットワークを介して情報配信装置に接続されることで実行される廃棄物分別情報の配信方法であって、前記携帯端末から送信される前記物品情報及び現在の位置情報を前記情報配信装置が受信する受信工程と、この受信工程により得た前記情報に基より、当該物品の当該位置における自治体規則に基づく廃棄物分別情報を配信情報として生成する配信情報生成工程と、生成したこの配信情報を前記携帯端末に送信する配信情報送信工程とから成ることを特徴とする廃棄物分別情報の配信方法。
【請求項６】
請求項５記載の廃棄物分別情報の配信方法において、前記物品情報は二次元コードであることを特徴とする廃棄物分別情報の配信方法。
【発明の詳細な説明】
【技術分野】
【０００１】
本発明は、廃棄物分別情報の配信システム，情報配信装置及び廃棄物分別情報の配信方法に関するものである。
【背景技術】
【０００２】
近年、ごみの分別化が重視されている。頻繁に捨てている物であればどのように分別すれば良いか分かるものの、普段捨てたことが無いような物であればどのように分別すべきか分からず、よって、正確な分別方法を確認することなく間違ったまま廃棄されることがある。
【０００３】
また、自治体によって分別条件が異なっていることも、ゴミの分別が複雑となっている要因の一つである。尚、自治体住民には分別条件が記載された分別一覧表が配布されるが、熟読する人は少数である。
【０００４】
そこで、従来、特開２００２−６３３１８に開示されるようなごみ分別支援システム（以下、従来例という。）が提案されている。
【０００５】
この従来例は、各市町村の市民、町民、村民が、ユーザ端末（携帯電話やパソコン）により通信回線を介して、ある製品をごみとして排出する場合にそのゴミがどの分別区分に該当するかを問い合わせると、そのごみに対する適切な分別区分が回答される分別支援システムであって、ごみの分別区分を特定するための分別情報が各製品毎に記憶されている製品データベースと、各市町村のごみ分別回収方法に対応して分別情報に基づき、問い合わせのあった製品が当該市町村のどの分別区分に該当するかを判定する複数のフィルタリング部を備えたものである。
【先行技術文献】
【特許文献】
【０００６】
【特許文献１】特開２００２−６３３１８号公報
【発明の概要】
【発明が解決しようとする課題】
【０００７】
しかしながら、従来例は、ユーザが廃棄する物品の名称や廃棄しようとする自治体の市町村名などの検索情報を文字入力して検索することになるが、この入力作業は面倒であり、それほど利用されていないのが現状である。
【０００８】
本発明は、前述した問題点を解消したもので、従来にない画期的な廃棄物分別情報の配信システム，情報配信装置及び廃棄物分別情報の配信方法を提供する。
【課題を解決するための手段】
【０００９】
添付図面を参照して本発明の要旨を説明する。
【００１０】
分別廃棄対象となる物品10に設けられた当該物品10の種類を示す物品情報１を読み取る読み取り機能と位置情報を取得する位置情報取得機能とを備えた携帯端末２が、ネットワークを介して情報配信装置３に接続された廃棄物分別情報の配信システムであって、前記情報配信装置３は、前記携帯端末２に送信する配信情報を生成する配信情報生成手段を備え、前記配信情報生成手段は、前記携帯端末２から送信された前記物品情報１と前記位置情報取得機能で取得された現在の位置情報とにより、当該物品10の当該位置における自治体規則に基づく廃棄物分別情報を前記配信情報として生成するものであることを特徴とする廃棄物分別情報の配信システムに係るものである。
【００１１】
また、請求項１記載の廃棄物分別情報の配信システムにおいて、前記物品情報１は二次元コードであることを特徴とする廃棄物分別情報の配信システムに係るものである。
【００１２】
また、分別廃棄対象となる物品10に設けられた当該物品10の種類を示す物品情報１を読み取る読み取り機能と位置情報を取得する位置情報取得機能とを備えた携帯端末２に、ネットワークを介して接続され、廃棄物分別情報を配信情報として配信する情報配信装置であって、前記携帯端末２に送信する配信情報を生成する配信情報生成手段を備え、前記配信情報生成手段は、前記携帯端末２から送信された前記物品情報１と前記位置情報取得機能で取得された現在の位置情報とにより、当該物品10の当該位置における自治体規則に基づく廃棄物分別情報を前記配信情報として生成するものであることを特徴とする情報配信装置に係るものである。
【００１３】
また、請求項３記載の情報配信装置において、前記物品情報１は二次元コードであることを特徴とする情報配信装置に係るものである。
【００１４】
また、分別廃棄対象となる物品10に設けられた当該物品10の種類を示す物品情報１を読み取る読み取り機能と位置情報を取得する位置情報取得機能とを備えた携帯端末２が、ネットワークを介して情報配信装置３に接続されることで実行される廃棄物分別情報の配信方法であって、前記携帯端末２から送信される前記物品情報１及び現在の位置情報を前記情報配信装置３が受信する受信工程と、この受信工程により得た前記情報に基より、当該物品10の当該位置における自治体規則に基づく廃棄物分別情報を配信情報として生成する配信情報生成工程と、生成したこの配信情報を前記携帯端末２に送信する配信情報送信工程とから成ることを特徴とする廃棄物分別情報の配信方法に係るものである。
【００１５】
また、請求項５記載の廃棄物分別情報の配信方法において、前記物品情報１は二次元コードであることを特徴とする廃棄物分別情報の配信方法に係るものである。
【発明の効果】
【００１６】
本発明は上述のように構成したから、前述した従来例に比し、廃棄する物品が現在位置の自治体規則に基づけばどのように廃棄しなければならないかという廃棄物分別情報を簡易且つ確実に入手することができるなど、従来にない作用効果を発揮する画期的な廃棄物分別情報の配信システム，情報配信装置及び廃棄物分別情報の配信方法となる。
【図面の簡単な説明】
【００１７】
【図１】本実施例に係る廃棄物分別情報の配信システムの概要説明図である。
【図２】本実施例に係る携帯端末と情報配信装置との処理を示すフローチャートである。
【発明を実施するための形態】
【００１８】
好適と考える本発明の実施形態を、図面に基づいて本発明の作用を示して簡単に説明する。
【００１９】
携帯端末２の読み取り機能により、物品10に設けられた物品情報１を読み取ることで物品10の種類を取得し、更に、位置情報取得機能により現在位置情報を取得し、これらの情報はネットワークを介して情報配信装置３に送信される。
【００２０】
この情報配信装置３は、携帯端末２に送信する配信情報を生成する配信情報生成手段により、携帯端末２から送信された物品情報１による物品10の種類と位置情報取得機能で取得された現在の位置情報とにより、当該物品10が当該位置の自治体規則に基づけば、どのように廃棄しなければならないかという廃棄物分別情報を配信情報として生成する。
【００２１】
この配信情報生成手段にて生成された廃棄物分別情報は、情報配信装置３から配信情報としてネットワークを介し携帯端末２に送信され、例えば携帯端末２の画面に表示される。
【００２２】
従って、前述した従来例のような厄介な文字入力は不要であり、携帯端末２にて物品10に設けられた物品情報１を読み取るなどの操作を行うだけで、欲する廃棄物分別情報（当該物品10が現在位置の自治体規則に基づけば、どのように廃棄しなければならないかという廃棄物分別情報）を簡易且つ確実に入手することができる。
【実施例】
【００２３】
本発明の具体的な実施例について図面に基づいて説明する。
【００２４】
本実施例は、分別廃棄対象となる物品10に設けられた当該物品10の種類を示す物品情報１を読み取る読み取り機能と位置情報を取得する位置情報取得機能とを備えた携帯端末２が、ネットワークを介して情報配信装置３に接続された廃棄物分別情報の配信システムである。
【００２５】
具体的には、携帯端末２は、図１に図示したようにスマートフォンやタブレットなどのネットワーク（通信回線）に接続する携帯型端末であり、読み取り機能（例えば本システムを構築・運営する業者が提供するダウンロード・インストールして使用する専用のアプリケーション）及び位置情報取得機能（ＧＰＳ機能）を備えた公知構造のものである。
【００２６】
尚、位置情報取得機能としては、携帯電話ネットワークや無線ＬＡＮ（Ｗｉ−Ｆｉ）を利用したものもある。
【００２７】
物品情報１は二次元コード（ＱＲコード（登録商標））であり、分別廃棄対象となる物品10の種類がコード化されたものである。尚、本実施例では物品情報１をライターに設けた場合であり、また、物品情報１は一次元コードでも良い。
【００２８】
また、物品情報１は、後述する情報配信装置３から廃棄物分別配信情報を配信する本システムを構築・運用する業者により作成される。
【００２９】
この物品情報１を物品10に設ける方法としては、本実施例のように物品情報１を物品10に直接印刷したり、物品情報１を印刷したシールを物品10に貼ったりする場合などがある。
【００３０】
情報配信装置３は、図１に図示したように携帯端末２とネットワーク（通信回線）を介して接続される専用のサーバであり、携帯端末２に送信する配信情報を生成する配信情報生成手段を備えている。
【００３１】
この配信情報生成手段は、前記携帯端末２から送信された前記物品情報１と前記位置情報取得機能で取得された現在の位置情報とにより、当該物品10の当該位置における自治体規則に基づく廃棄物分別情報を前記配信情報として生成するように構成されている。
【００３２】
具体的には、例えば情報配信装置３を構築する業者により、予め各自治体規則に基づく物品10毎の分別方法（廃棄物分別情報）が掲載されたサイトが作成・蓄積されており、読み取り機能で取得された物品10の種類と位置情報取得機能で取得された現在の位置情報との組み合わせにより該当する分別方法（廃棄物分別情報）が掲載されたサイトが抽出される。
【００３３】
また、情報配信装置３は、配信情報（廃棄物分別情報）を携帯端末２に送信する送信手段を備えており、この情報配信装置３から配信情報（廃棄物分別情報が掲載されたサイト）を検索し得るＵＲＬが携帯端末２に送信されて該携帯端末２の画面に表示され、このＵＲＬを起動すると配信情報（廃棄物分別情報が掲載されたサイト）が表示される。尚、この情報配信装置３から送信される配信情報（廃棄物分別情報が掲載されたサイト）がダイレクトに携帯端末２の画面に表示される（上記ＵＲＬが自動で起動する）ようにしても良い。
【００３４】
以上の構成から成る本実施例に係る廃棄物分別情報の配信方法について図２を用いて説明する。
【００３５】
先ず、予め現在位置情報取得機能（ＧＰＳ）を有効な状態としておき、携帯端末２の読み取り機能を有効（アプリを起動）とし、物品10に設けられた物品情報１を読み取るとともに、位置情報取得機能により現在位置情報を取得し、これらの情報はネットワークを介して情報配信装置３に送信される。
【００３６】
この情報配信装置３は、携帯端末２に送信する配信情報を生成する配信情報生成手段により、携帯端末２から送信された物品情報１による物品10の種類と位置情報取得機能で取得された現在の位置情報とにより、当該物品10が当該位置の自治体規則に基づけば、どのように廃棄しなければならないかという廃棄物分別情報を配信情報として生成する。
【００３７】
この配信情報生成手段にて生成された廃棄物分別情報は、情報配信装置３から配信情報としてネットワークを介し携帯端末２に送信され、例えば携帯端末２の画面に表示される。
【００３８】
具体的には、〇○市でライター10を廃棄しようとする場合、ライター10に設けられた物品情報１を読み込むことで、ライターと〇○市の組み合わせで「不燃ごみ」という廃棄物分別情報が表示され、一方、△△市でライターを廃棄しようとする場合、ライター10に付された物品情報１を読み込むことで、ライターと△△市の組み合わせで「一般ごみ」という廃棄物分別情報が表示される。
【００３９】
よって、本実施例によれば、前述した従来例のような厄介な文字入力は不要であり、携帯端末２にて物品10に設けられた物品情報１を読み取るなどの操作を行うだけで、得たい廃棄物分別情報（その物品10の種類における現在の位置の自治体規則に基づく廃棄物分別情報）を簡易且つ確実に入手することができる。
【００４０】
尚、本発明は、本実施例に限られるものではなく、各構成要件の具体的構成は適宜設計し得るものである。
【符号の説明】
【００４１】
１  物品情報
２  携帯端末
３  情報配信装置
【図１】
2018028749.tif 000003
【図２】
2018028749.tif 000004